(57)【要約】【課題】  安全性と治療効果を向上させることを可能とする電子治療器を提供する。【解決手段】  本発明の電子治療器は、負電位出力端子２を人体５に接続すると共に正電位出力端子３を人体５から絶縁されたアース４に接続することにより人体５が有する静電容量を充電することができる電源装置１を有しており、電源装置１が着脱可能な蓄電池１７である。【選択図】  図１
2018114097.tif 000002
【特許請求の範囲】
【請求項１】
負電位出力端子側を人体に接続すると共に正電位出力端子側を前記人体から絶縁されたアースに接続することにより前記人体が有する静電容量を充電することができる電源装置を備えており、この電源装置が着脱可能な蓄電池を有することを特徴とする電子治療器。
【請求項２】
前記蓄電池の出力をオンオフして前記人体が持つ静電容量を充放電させるためのスイッチを前記負電位出力端子側に設けることを特徴とする請求項１に記載した電子治療器。
【請求項３】
前記人体と前記蓄電池との間に電流制限抵抗器を設けることを特徴とする請求項１または請求項２に記載した電子治療器。
【発明の詳細な説明】
【技術分野】
【０００１】
本発明は、医療機器に関するものである。
【背景技術】
【０００２】
従来の電位治療器としては、高圧の交流電圧や高圧パルスを電極間にかけて、電場を発生させ、その電場の中に身体を置くことで治療する医療器が知られている。また、蓄電池を使って人体に高圧静電気を帯電させる電位治療器が先行技術として紹介されている（例えば、特許文献１）。
【０００３】
斯かる従来の電位治療器は、負電源に、機器に組み込まれた蓄電池を用い、静電誘導作用により、−３ＫＶを絶縁物に帯電させ、その帯電したマイナス静電気を静電誘導作用により、人体に静電誘導帯電させるものである。
【先行技術文献】
【特許文献】
【０００４】
【特許文献１】特開２００５−２４６０１７号公報
【非特許文献】
【０００５】
【非特許文献１】広藤道男、高橋周七、伊藤隆太、藤巻時寛著「電子負荷療法の実際とメカニズム」学芸社、２０１５年
【発明の概要】
【発明が解決しようとする課題】
【０００６】
特許文献１は、機器に内蔵された蓄電器にマイナス高圧電源により蓄電し、その蓄電器のマイナス側を電極に接続し、電極に対向する帯電樹脂に静電誘導させ、更に、帯電樹脂の電位を、人体に静電誘導させる構成であり、人体に−３ＫＶ静電気が誘導帯電されているため、身体とアースの絶縁抵抗等よっては、放電現象が発生する。
【０００７】
非特許文献１は、治療器の電源として、屋内配線の電源コンセントに接続された、交流電源が使われているために、機器として安全上の諸問題がある。例えば、変圧器の絶縁劣化や電源入力配線の絶縁耐圧の劣化、部品の劣化等による人身事故の可能性があり、また、電源ラインに高周波ノイズやリプルノイズ等が含まれて、人体への影響は良いとは言えない。また、治療器の電源は、負電位出力が安定しているので、人体に発生する電荷に変化がなく、人体が持つ静電容量の電荷量も安定してしまうため、治療効果が少ない。更に、病院で入院患者が使う場合は、病室内の電源コンセントを使用するため、電磁波妨害の理由で使用が禁止されたりしている。
【０００８】
本発明は、電気用品安全上の問題や電磁波ノイズ等の諸問題を解決し、治療効果を更に高めるために、交流電源整流方式の電源ではなく、充電器により充電された蓄電池を電源とするもので携帯性に優れ、治療効果の高い、電子治療器を提供するために、人体が有している静電容量に直流電位を与え、その静電容量が持つ電子を利用した電子治療器である。
【課題を解決するための手段】
【０００９】
本発明に係る電子治療器は、前記目的を達成するため、負電位出力端子側を人体に接続すると共に正電位出力端子側を前記人体から絶縁されたアースに接続することにより前記人体が有する静電容量を充電することができる電源装置を有しており、この電源装置が着脱可能な蓄電池であることを特徴とする（第１の解決手段）。
【００１０】
また、前記蓄電池の出力をオンオフして前記人体が持つ静電容量を充放電させるためのスイッチを前記負電位出力端子側に設けることを特徴とする（第２の解決手段）。
【００１１】
また、前記人体と前記蓄電池との間に電流制限抵抗器を設けることを特徴とする（第３の解決手段）。
【発明の効果】
【００１２】
第１の解決手段によれば、従来よりも安全性と治療効果を向上させることができる。
【００１３】
第２の解決手段によれば、一層治療効果を向上させることができる。
【００１４】
第３の解決手段によれば、人体の細胞を刺激し治療効果を向上させることができる
【図面の簡単な説明】
【００１５】
【図１】本発明の実施形態を説明する説明図である。
【図２】同上の電源装置を説明する回路図である。
【図３】同上の蓄電池の充電を説明する回路図である。
【発明を実施するための形態】
【００１６】
以下、本発明の実施の形態を、図１〜図３に基づいて説明するが、１は電源装置、２は負電位出力端子、３は正電位出力端子、４はアース、５は人体、６はアース端子、７は出力コード、８はアースコード、９は導子、１０はアース導子、１１は接地コード、１２は抵抗器、１３は抵抗器、１４は出力スイッチ、１５はオンオフスイッチ、１６は抵抗器、１７は蓄電池、１８は充電用電源部、１９は充電用接点、２０は電源スイッチ、２１は電源プラグ、２２は電源コード、２３は電池収納ケースである。
【００１７】
人体５は、アース４から絶縁してあり、電源装置１には、着脱可能な蓄電池１７が装着され、この蓄電池１７のマイナスが負電位出力端子２に接続され、蓄電池１７のプラスが正電位出力端子３に接続されている。
【００１８】
負電位出力端子２は、着脱可能な出力コード７で導子９に接続され、導子９を介して人体５に接続される。他方、電源装置１の、正電位出力端子３には、着脱可能な接地コード１１が接続されてアース４に接続され、電源装置１のアース端子６には、着脱可能なアースコード８が接続され、アースコード８の先端には、アース導子１０が取り付けられ人体５に接続されており、アース端子１０は、治療として使ったり、使わなかったりするものであり、オンオフスイッチ１５で切り替えができる。
【００１９】
出力スイッチ１４は、オフでも使用する事ができ、この場合は、就寝中等で発生する身体の静電気を取り除いてくれるもので、例えば、出力スイッチ１４は、リレーで１秒以上の間隔で電気的にオンオフしても良い。
【００２０】
なお、着脱可能な蓄電池１７は、望ましくは、耐電圧が４５０［Ｖ］で静電容量が１００[μＦ]以上の電解コンデンサーが望ましく、静電容量を１００[μＦ]とした場合、人体５がアース４から絶縁された状態での電解コンデンサーの放電特性は、実測で表１の通りであり、使用下限電圧Ｖを下記表１の電圧値から２００［Ｖ］とすれば、２日間程度使用できることになる。
【００２１】
【表１】
2018114097.tif 000003
【００２２】
人体５に電流を流す場合の電解コンデンサーの放電時間ｔ［秒］は、ｔ＝Ｃ×（Ｖｏ―Ｖ）／Ｉであることから、充電電圧Ｖｏを４５０[Ｖ]、使用下限電圧Ｖを１００[Ｖ]、電解コンデンサーの静電容量Ｃを１００[μＦ]、電流Ｉを１０[μＡ]とすれば、ｔ＝１００×１０−６×（４５０−１００）／１０×１０−６＝１００×３５０×１０−６／１０×１０−６＝３５×１０−３／１０−５＝３５×１０２＝３５００[秒]、すなわち、約１時間の治療が可能となる。
【００２３】
以下に更に詳しく説明する。
【００２４】
人体５をアース４から絶縁することで、蓄電器１７による直流電源の負電位を直接人体５に接続することにより、人体５は負電荷が帯電され、アース４には正電荷が帯電される。
【００２５】
人体５の電荷量Ｑは、人体の持っている静電容量Ｃo、印加される負電圧Ｖとすれば、Ｑ＝Ｃｏ×Ｖであり、例えば、人体５の静電容量Ｃｏ＝１００［ｐＦ］、印加電圧Ｖ＝４００［Ｖ］とすれば、電荷量Ｑは、Ｑ＝１００×１０−１２×４００となる。
【００２６】
電荷量Ｑが持つ電子数Ｎは、電子の電気素量ｅを１．６０×１０―１９とすれば、Ｎ＝Ｑ／ｅであたえられるため、Ｎ＝１００×１０−１２×４００／１．６０×１０―１９＝４×１０−８／１．６０×１０―１９＝４／１．６×１０１１＝２．５×１０１１＝２５００億個となる。
【００２７】
一般的には、この２５００億個の電子数Ｎが人体５に出入りすることになるが、この電子の出入りは、人体５の持っている静電容量Ｃoを充放電することにより出入りするもので、一度静電容量Ｃｏに貯まった電荷は、負電荷と正電荷が引きつけ合ってバランスが保たれている状態では、静電容量Ｃｏには、電子の動きはない。
【００２８】
本発明の第１の解決手段では、出力スイッチ１４を設け、人体５の持っている静電容量Ｃｏを充放電させ、人体５の静電容量Ｃｏの電子の出入りを活発化させている。
【００２９】
なお、人体５に与えられた電子は、その電子のみでは皮膚から人体５の内部へ侵入しないため、水素原子殻に電子を与え、この水素にサポートしてもらいマイナス水素イオンＨ−、原子状水素Ｈとして、人体５の内部に運ぶことができる。人体５の静電容量による電子と人体５の皮膚表面の水分Ｈ２Ｏに含まれる電離されたプラス水素イオンＨ＋とが反応して前記原子状水素Ｈが生成され、体内に吸収される。更に、体内に入った原子状水素Ｈが共有結合して水素分子Ｈ２となり、細胞の隅々まで浸透し、酸素Ｏと結合して水になり、汚れを浄化して対外に排出される。
【００３０】
活性水素と呼ばれる原子状水素Ｈは、電子が１個の不対電子状態にあり、何かと結合して電子を共有するか、または、電子を放出してプラス水素イオンになろうとする。この化学現象で、電子を放出した場合は、活性酸素である水酸化ラジカル（・ＯＨ）に電子を供給し、水酸化ラジカル（・ＯＨ）を分解処理することができる。また、水素状の原子Ｈは、原子Ｈどうしが共有結合して、水素分子Ｈ２になる。この水素分子Ｈ２は酸素Ｏと結びつくことで水Ｈ２Ｏになり、体外に排出される。前記水Ｈ２Ｏの分子の大きさは、大小さまざまな結合した分子（クラスター）を形成し、細胞の中に浸透するものもあるが、細胞隅々まで浸透することは、少ないと考えられる。しかし、前記水素分子Ｈ２や水素Ｈは、最も小さい元素であり、人体の隅々まで行きわたる。この結果、水分子が浸透できない組織にも行きわたり、そこで水となり浄化して対外に排出される。
【００３１】
更に、水素Ｈに電子が反応して電子が２個結びついて、安定したマイナス水素イオンＨ−が生成され、身体の活性化に寄与する。
【００３２】
また、蓄電池１７に電解コンデンサーを使う事で、負電位が減じる方向で変動し、この変動が人体５の静電容量の電荷量に変化を与え、自由電子を発生させるもので、負電荷と正電荷がお互いに釣り合っている場合は、電子の移動がないが、電源の電圧変動により電荷量に変動があり、負電荷と正電荷がバランスしようとして、電子の移動があり、押し出された自由電子が効果的に前記プラス水素イオンＨ＋や原子状水素Ｈ、水素分子Ｈ２を生成し、酸化された細胞を還元し、更に活性酸素を分解処理する。
【００３３】
第２の解決手段によれば、人体５の負電荷とアース４の正電荷がお互いに釣り合っている場合は、電子の移動がないため、出力スイッチ１４をオンオフする事で、人体の静電容量の電荷を充放電させ、人体の静電容量が持つ電子を人体に出入りさせ、押し出された電子がプラス水素イオンＨ＋と反応しマイナス水素イオンＨ−や活性水素Ｈが生成され、効果的に酸化された細胞を還元し、更に、活性酸素のＯＨラジカルに電子を与え、活性酸素であるＯＨラジカルを分解処理する。
【００３４】
出力スイッチ１４がオフの場合、衣服や寝具等により静電気が発生した場合は、身体が絶縁されていれば、静電誘導作用により、人体５に静電気が誘導され、また、血液の流れによる体内静電気も発生する。これらの静電気が人体に好ましくない事は、既に報道されている。このため、人体５に静電気が帯電しないように放電させることができる放電抵抗を設けている。
【００３５】
第３の解決手段によれば、人体５のツボは電流が流れやすいので、そのツボに電流を流すことにより、ツボを刺激し、更に、電解質の体液を電気分解する作用があるので、電離されたプラス水素イオンＨ＋と電子とが反応して、活性水素Ｈになり、また、プラス水素イオンＨ＋に電子が２個反応して、マイナス水素イオンＨ−になる。
【００３６】
人体５に流す電流は、電流制限抵抗器１３でコントロールできるが、長時間電流を流す場合は、安全上１０［μＡ］以下が望ましい。
【００３７】
電源に取外し可能な蓄電池１７を用いることで、安全性が高まったこと及び屋外でも使えること、および、蓄電池１７に電解コンデンサーを使う事により、電解コンデンサーの端子電圧が時間とともに変化するため、この変化が人体５の静電容量の電荷量を変化させる結果となり、人体５の静電容量の電子移動を促し、電子と体内の酸化物との化学反応を促進する。
【００３８】
確認では治療効果として、体温が３５．３度から３６．３度にアップし、体温がアップした事で、足の冷えが解消し、また、花粉症が治った事、鼻つまりがなくなった事が確認出来たが、電解コンデンサーを用いた蓄電池を使用することで、前記非特許文献１に示されている効果と同等以上の効果を発揮できるもので、特に、ＡＬＳ患者や、痴呆症に効果が認められていることは、今後の老齢化社会に貢献できるものと期待できる。今後、電子の働きを利用することにより、西洋医学では実現できない難病にも効果が期待でき、医療費削減と幸福な社会実現をもたらすものである。
【符号の説明】
【００３９】
１  電源装置
２  負電位出力端子
３  正電位出力端子
４  アース
５  人体
６  アース端子
７  出力コード
８  アースコード
９  導子
１０  アース導子
１１  接地コード
１２  抵抗器
１３  抵抗器
１４  出力スイッチ
１５  オンオフスイッチ
１６  抵抗器
１７  蓄電池
１８  充電用電源部
１９  充電用接点
２０  電源スイッチ
２１  電源プラグ
２２  電源コード
２３  電池収納ケース
【図１】
2018114097.tif 000004
【図２】
2018114097.tif 000005
【図３】
2018114097.tif 000006